(57)【要約】【課題】カード装着機構部を小型化・薄型化する。【解決手段】本体部を成す平板状部９１・９２と、この平板状部の手前側に設けられる引き出し操作部９３と、平板状部９１・９２の先端側に設けられるカード引っ掛け部９４とを備える、カード引き出し部材９が、カードコネクタ１８とカードコネクタ１８の上方を覆うサブ回路基板搭載用のフレ−ム１５との間に設けられている。そして、平板状部９２には、フレ−ム１５に形成されたカードの挿入方向に延びるガイド溝部１６に係合する係合突起部９５が備えられている。また、平板状部９１・９２はカードＣよりも幅狭に形成されている。【選択図】図９
2008191759.tif 000002
【特許請求の範囲】
【請求項１】
機器ケース内の回路基板上に設けられ、機器ケースに形成されたカード挿入用開口から挿入されたカードを、少なくともカードの先端側端面から上面に掛けての一部領域が露出する状態で保持するカードコネクタと、
平板状を成す本体部の先端部に前記カードの先端部に当接可能なカード引っ掛け部が設けられると共に後端部に引き出し操作部が設けられ、前記カードコネクタの上方に、カードの挿入方向にスライド可能に配置されたカード引き出し部材と
を備えることを特徴とするカード装着機構。
【請求項２】
前記カード引き出し部材は、前記カードコネクタの上方を覆う部材の下面にスライド可能に取り付けられていることを特徴とする請求項１に記載のカード装着機構。
【請求項３】
前記カードコネクタの上方を覆う部材は、前記回路基板上に設けられたサブ回路基板搭載用のフレームであることを特徴とする請求項２に記載のカード装着機構。
【発明の詳細な説明】
【技術分野】
【０００１】
本発明は、電子機器の機器本体に設けられるカード装着機構に関する。
【背景技術】
【０００２】
ＩＣメモリが内蔵されたメモリカードは、電子機器に着脱可能な記憶媒体として広く用いられている。また、最近の携帯電話機では、加入者電話番号等の加入者識別情報が記憶されたUSIMカード (Universal Subscriber Identity Module Card)やSIMカード（Subscriber Identity Module Card）等のメモリカードを使用するものもある。これらのメモリカードを使用する電子機器では、メモリカードの着脱が容易なカード装着機構が求められている。
携帯電話機においては、このようなカード装着機構として、バッテリーパック装着部に隣接する機器ケース内にカードコネクタを設け、下面側に形成した凹部にカードを収容したカードホルダをバッテリーパック装着部の壁面に形成されたカード挿入用開口から機器ケース内に挿入してカードの接続端子をコネクタの接点バネに接触させる構成にすると共に、カードホルダの手前側に取っ手部を設けておき、必要に応じて、この取っ手部に指を掛けてカードホルダを引き出すことができる方式のものがある（例えば特許文献１参照）。
【特許文献１】特開２００６−６７６２８号公報
【発明の開示】
【発明が解決しようとする課題】
【０００３】
上記従来のカード装着機構は、凹部にカードを収容したカードホルダを機器ケース内に挿入する方式のため、カード装着機構の実装スペースとして大きなスペースが必要であった。
また、カードコネクタはカードホルダを保持できるものでなければならず、専用のカードコネクタが必要であった。
【０００４】
本発明の課題は、カード装着機構部を小型化・薄型化することである。
【課題を解決するための手段】
【０００５】
以上の課題を解決するため、請求項１に記載の発明は、機器ケース内の回路基板上に設けられ、機器ケースに形成されたカード挿入用開口から挿入されたカードを、少なくともカードの先端側端面から上面に掛けての一部領域が露出する状態で保持するカードコネクタと、平板状を成す本体部の先端部に前記カードの先端部に当接可能なカード引っ掛け部が設けられると共に後端部に引き出し操作部が設けられ、前記カードコネクタの上方に、カードの挿入方向にスライド可能に配置されたカード引き出し部材とを備える、カード装着機構を特徴とする。
【０００６】
請求項２に記載の発明は、請求項１に記載のカード装着機構であって、前記カード引き出し部材は、前記カードコネクタの上方を覆う部材の下面にスライド可能に取り付けられていることを特徴とする。
【０００７】
請求項３に記載の発明は、請求項２に記載のカード装着機構であって、前記カードコネクタの上方を覆う部材は、前記回路基板上に設けられたサブ回路基板搭載用のフレームであることを特徴とする。
【発明の効果】
【０００８】
本発明によれば、カードの引き出しをカードコネクタの上方に配置した平板状のカードの引き出し部材で行うので、カード装着機構部を小型化・薄型化できる。
【発明を実施するための最良の形態】
【０００９】
以下、図を参照して本発明を実施するための最良の形態を詳細に説明する。
図１及び図２は本発明を適用した一実施形態としてのカード装着機構を備えた折り畳み式携帯電話機を開いた状態と折り畳んで裏返した状態を示したもので、１は第１筐体、２は第２筐体、３はヒンジ部、４は操作部、５は表示部、６はカメラ部、７はバッテリーパック装着部、８は電池蓋である。
【００１０】
図示のように、第１筐体１と第２筐体２はヒンジ部３を介して折り畳み自在に結合されており、第１筐体１に各種操作キーによる操作部４が設けられて、第２筐体２に表示部５が設けられている。第１筐体１の裏面側にカメラ部６及びバッテリーパック装着部７が設けられていて、バッテリーパック装着部７は電池蓋８により開閉可能となっている。そして、詳細は後述するが、第１筐体１内においてカメラ部６とバッテリーパック装着部７との間に位置する領域にカード装着機構が設けられており、バッテリーパック装着部７側からメモリカードが挿抜できるようになっている。すなわち、カード挿入用の開口は、バッテリーパック装着部７の壁面に設けられている。なお、図中Ｃは、SIMカードやUSIMカードのようなメモリカードであり、９はメモリカードＣをバッテリーパック装着部７側に引き出すためのカード引き出し部材である。
【００１１】
図３は図２の第１筐体１から下ケース１１を取り外した状態を示したもので、１２は上ケース、１３はメイン回路基板であり、メイン回路基板１３には、サブ回路基板１４が搭載されたフレーム１５、カメラ部６及び各種電子部品が実装されている。
【００１２】
図４は第１筐体１内からサブ回路基板１４が搭載されたフレーム１５を取り外した状態を示したもので、メイン回路基板１３においてフレーム１５が搭載されていた領域には、各種電子部品ともにカードコネクタ１８が実装されおり、メモリカードＣがカードコネクタ１８に差し込まれている。メモリカードＣは下面側に接続端子を有し、カードコネクタ１８に完全に差し込まれた状態で、前記接続端子がカードコネクタ１８の上面に設けられているバネ接点と接触するようになっている。なお、図中、カード挿入方向に対して直交する方向に延びる帯状の部材１９は、メモリカードＣの接続端子をカードコネクタ１８のバネ接点に押圧するための押圧部材（カード押え部材）である。この押圧部材１９はカードコネクタ１８の一部を成すもので、本実施形態では、カードコネクタ１８として汎用のカードコネクタを使用しており、薄い金属板で構成されている。
【００１３】
一方、フレーム１５は、上面に、各種電子部品を実装したサブ回路基板１４が搭載され、下面に、カード引き出し部材９がメモリカードＣの挿入方向にスライド可能に取り付けられている。
【００１４】
図５は、サブ回路基板１４を取り外した状態のフレーム１５の斜視図、図６はフレーム１５からカード引き出し部材９を取り外した状態の分解斜視図、図７は図５のフレーム１５を下側から見た斜視図であり、カード引き出し部材９は、これらの図に示されているように、本体部を成す平板状部９１・９２と、その手前側の平板状部９１の手前端部の一側部において上方に突出した引き出し操作部９３と、その反対側の平板状部９２の先端部から下方に突出したカード引っ掛け部９４と、平板状部９２の手前側上面に突出した係合突起部９５とを一体に備えており、且つ、薄い帯状の支持片１７によって、フレーム１５の下面側に組み付けられている。この状態で、係合突起部９５はフレーム１５にメモリカードＣの挿入方向に沿って形成されたガイド溝部１６内に位置しており、カード引き出し部材９は係合突起部９５が移動可能なガイド溝部１６の長さの範囲内でメモリカードＣの挿入方向にスライド可能となっている。
【００１５】
本実施形態のカード装着機構は、上述したカードコネクタ１８とカード引き出し部材９とで構成されている。図８は、フレーム１５の下面側に取り付けられているカード引き出し部材９とカードコネクタ１８に差し込まれているメモリカードＣとの配置関係をフレーム１５を省略して示した図であり、図示のように、カード引き出し部材９の本体部である平板状部９１・９２は、メモリカードＣよりも幅狭に形成されており、且つメモリカードＣの幅方向中央部に配置されている。
【００１６】
次に、本実施形態のカード装着機構におけるカードの引き出し動作を図９を参照して説明する。
図９（ａ）は図２の断面図であり、メモリカードＣが装着された状態を示したものである。すなわち、メモリカードＣがカード挿入用開口から挿入されてメイン回路基板１３上に設けられたカードコネクタ１８に差し込まれると、カードコネクタ１８の上方を覆うフレーム１５の下面側にスライド可能に取り付けられているカード引き出し部材９のカード引っ掛け部９４がメモリカードＣにより押されるので、図示のように、カード引き出し部材９もフレーム１５の下方に挿入して収容された状態となる。
【００１７】
そして、図９（ｂ）はカード引き出し部材９を引いた状態を示したものである。すなわち、引き出し操作部９３に指先または爪を引っ掛けて引くと、図示のように、カード引き出し部材９が手前に引き出されるとともに、その先端部のカード引っ掛け部９４で引っ掛けられて、メモリカードＣも一緒に引き出される。このカード引き出し部材９の引き出し量は、係合突起部９５が係合するガイド溝部１６の長さにより制限されている。
【００１８】
また、図９（ｃ）はカード引き出し部材９だけ戻した状態を示したものである。すなわち、引き出し操作部９３を指先で押すと、図示のように、カード引き出し部材９だけが挿入され、メモリカードＣは引き出されたままの状態となる。従って、メモリカードＣを指先でつまんで手前に取り出すことができる。
【００１９】
以上のように、本体部をなす平板状部９１・９２の後端側に引き出し操作部９３、前端側にカード引っ掛け部９４を備えるカード引き出し部材９を、カードコネクタ１８の上方を覆うサブ回路基板搭載用のフレーム１５の下面側にスライド可能に取り付けることで、カード装着機構専用の部品を押圧部材（カード押え部材）２９を備えたカードコネクタ１８とその上に重ねて配置される平板状のカード引き出し部材９のみにしたので、カード装着機構の実装スペースを大幅に縮小することができる。すなわち、カード装着機構を従来のカードホルダを用いる機構よりも小型化・薄型化できる。また、専用のカードコネクタを用いずに、汎用のカードコネクタを使用できるため、安価に済む利点もある。
【００２０】
なお、以上の実施形態においては、携帯電話機におけるカード装着機構としたが、本発明はこれに限定されるものではなく、ＰＤＡ、その他の携帯端末機、カメラ、パソコンなどの電子機器におけるカード装着機構であっても良い。
また、実施形態では、サブ回路基板搭載用のフレームにガイド溝部を設け、カード引き出し部材に前記ガイド溝部に係合する係合突起部を設ける構成としたが、逆に、フレームに設けるガイド部を突起部とし、カード引き出し部材に設ける係合部を溝部としても良い。
さらに、カードコネクタの上方に配置されるカード引き出し部材をカードの挿入方向にスライド可能に保持する部材は、サブ回路基板搭載用のフレームに限られない。例えば、回路基板やカードコネクタに、ガイド溝等のガイド部を設けた専用の部材を、カードコネクタの上方を覆うように設けても良い。また、カードコネクタの上方を覆う機器ケースの内面に、ガイド溝等のガイド部を設けたリブを突設する構成にしても良い。
その他、具体的な細部構造等についても適宜に変更可能であることは勿論である。
【図面の簡単な説明】
【００２１】
【図１】本発明を適用した一実施形態としてのカード装着機構を備えた折り畳み式携帯電話機を開いた状態の斜視図である。
【図２】図１の携帯電話機を折り畳んで裏返した状態で電池蓋を取り外した分解斜視図である。
【図３】図２の第１筐体から一部ケースを取り外した分解斜視図である。
【図４】図３の第１筐体内から一部構造部を取り外した分解斜視図である。
【図５】図４のフレームからサブ回路基板を取り外した状態の斜視図である。
【図６】図５のフレームからカード引き出し部材を取り外した状態の分解斜視図である。
【図７】図５のフレームを下側から見た斜視図である。
【図８】フレームの下面側に取り付けられているカード引き出し部材とカードコネクタに差し込まれているメモリカードとの配置関係をフレームを省略して示した図である。
【図９】図２の要部断面図で、カード収容状態を示した図（ａ）、カード引き出し部材を引いた状態を示した図（ｂ）、カード引き出し部材だけ戻した状態を示した図（ｃ）である。
【符号の説明】
【００２２】
１  筐体
１１・１２  ケース
１３  メイン回路基板
１４  サブ回路基板
１５  フレーム
１６  ガイド溝部
１７  支持片
１８  カードコネクタ
１９  押圧部材
７  バッテリーパック装着部
９  カード引き出し部材
９１・９２  平板部
９３  引き出し操作部
９４  カード引っ掛け部
９５  係合突起部
Ｃ  カード
【図１】
2008191759.tif 000003
【図２】
2008191759.tif 000004
【図３】
2008191759.tif 000005
【図４】
2008191759.tif 000006
【図５】
2008191759.tif 000007
【図６】
2008191759.tif 000008
【図７】
2008191759.tif 000009
【図８】
2008191759.tif 000010
【図９】
2008191759.tif 000011